(57)【特許請求の範囲】
【請求項１】
透液性表面シートと、不透液性裏面シートと、これら両シート間に介在する吸液性コアとを備え、縦方向へ延びる一対の側縁部と、幅方向へ延びる一対の端縁部とを有するナプキンベース部材の前記側縁部上面に、該側縁部に沿って前記一対の端縁部間に延びるカフが形成されている生理用ナプキンであって、
前記カフが、前記縦方向へ延びる固定縁部と自由縁部と、これら両縁部間において前記幅方向へ延びる一対の端縁部とを有し、前記自由縁部を前記ベース部材の幅方向外方へ伸長可能であって、かつ、前記自由縁部を前記ベース部材の幅方向外方へ向けて前記固定縁部が前記ベース部材の側縁部上面に固定しており、前記自由縁部が、前記ベース部材の幅方向外方へ向くことができるように、前記カフをその固定縁部と自由縁部との間で二分して前記縦方向へ延びる折曲線で前記カフが折り重ねられており、
前記カフの自由縁部に、前記縦方向に延びる弾性部材が伸長状態で取り付けられており、
前記カフの表面の少なくとも一部分の静摩擦係数が、０．３以上であることを特徴とする前記ナプキン。
【請求項２】
透液性表面シートと、不透液性裏面シートと、これら両シート間に介在する吸液性コアとを備え、縦方向へ延びる一対の側縁部と、幅方向へ延びる一対の端縁部とを有するナプキンベース部材の前記側縁部上面に、該側縁部に沿って前記一対の端縁部間に延びるカフが形成されている生理用ナプキンであって、
前記カフが、前記縦方向へ延びる固定縁部と自由縁部と、これら両縁部間において前記幅方向へ延びる一対の端縁部とを有し、前記自由縁部を前記ベース部材の幅方向外方へ伸長可能であって、かつ、前記自由縁部を前記ベース部材の幅方向外方へ向けて前記固定縁部が前記ベース部材の側縁部上面に固定しており、
前記カフが、前記ベース部材の縦方向へ平行して延びる多数のひだを有していて、前記ベース部材の幅方向外方へ伸長可能であることを特徴とする前記ナプキン。
【請求項３】
前記カフの自由縁部は、前記縦方向における少なくとも一部分が、前記ナプキンベース部材の側縁部を越えて、該側縁部の外側にまで伸長可能である請求項１または２に記載のナプキン。
【請求項４】
前記カフの自由縁部は、前記ベース部材の側縁部を１０ｍｍ以上越えることが可能である請求項３記載のナプキン。
【請求項５】
前記カフが、前記ベース部材の縦方向へ弾性的に伸縮可能なシートで形成されている請求項１〜４のいずれかに記載のナプキン。
【発明の詳細な説明】
【０００１】
【発明の属する技術分野】
この発明は、生理用ナプキンに関する。
【０００２】
【従来の技術】
特開平６−１２５９３８号公報に開示の生理用ナプキンは、吸収性パッドの両側に側部エッジを有する。ショーツの股下域にこのナプキンを取り付けると、側部エッジはショーツの脚周り開口の内側にまで出て開口縁部を覆い、かつ着用者の太股に当接する。
【０００３】
【発明が解決しようとする課題】
前記公知のナプキンによれば、ナプキンの側部エッジがショーツの脚周り開口縁部の経血による汚れを防ぐ。また、ナプキンを取り付けたショーツを着用するときに、ショーツの脚周り開口縁部と太股との間から経血が流れ落ちることも止できる。しかしながら、かかるナプキンは、側部エッジがショーツの脚周り開口縁部からはみ出すように、外形が大きく作られているものであるから、このナプキンを需要者に供給するために個別包装するときには、ナプキンの折り畳み方が複雑になって手間がかかるとか、包装したものが嵩張るという問題がある。
【０００４】
そこで、この発明は、ショーツの脚周り開口縁部の汚れを防止したり、その開口縁部と太股との間から経血が流れ落ちることを防止したりすることができて、しかも外形を比較的小さくすることができるナプキンの提供を課題にしている。
【０００５】
【課題を解決するための手段】
前記課題を解決するためのこの発明は、第１および第２発明によって構成される。前記第１および第２発明が前提とするのは、透液性表面シートと、不透液性裏面シートと、これら両シート間に介在する吸液性コアとを備え、縦方向へ延びる一対の側縁部と、幅方向へ延びる一対の端縁部とを有するナプキンべース部材の前記側縁部上面に、該側縁部に沿って前記一対の端縁部間に延びるカフが形成されている生理用ナプキンである。
【０００６】
かかる前提において、前記第１発明が特徴とするところは、前記カフが、前記縦方向へ延びる固定縁部と自由縁部と、これら両縁部間において前記幅方向へ延びる一対の端縁部とを有し、前記自由縁部を前記ベース部材の幅方向外方へ伸長可能であって、かつ、前記自由縁部を前記ベース部材の幅方向外方へ向けて前記固定縁部が前記ベース部材の側縁部上面に固定しており、前記自由縁部が、前記ベース部材の幅方向外方へ向くことができるように、前記カフをその固定縁部と自由縁部との間で二分して前記縦方向へ延びる折曲線で前記カフが折り重ねられており、前記カフの自由縁部に、前記縦方向に延びる弾性部材が伸長状態で取り付けられており、前記カフの表面の少なくとも一部分の静摩擦係数が、０．３以上であること、にある。
【０００８】
前記第２発明が特徴とするところは、前記カフが、前記縦方向へ延びる固定縁部と自由縁部と、これら両縁部間において前記幅方向へ延びる一対の端縁部とを有し、前記自由縁部を前記ベース部材の幅方向外方へ伸長可能であって、かつ、前記自由縁部を前記ベース部材の幅方向外方へ向けて前記固定縁部が前記ベース部材の側縁部上面に固定しており、前記カフが、前記ベース部材の縦方向へ平行して延びる多数のひだを有していて、前記ベース部材の幅方向外方へ伸長可能であること、にある。
【０００９】
この発明の好ましい実施態様において、前記カフの自由縁部は、前記縦方向における少なくとも一部分が、前記ナプキンベース部材の側縁部を越えて、該側縁部の外側にまで伸長可能である。
【００１０】
この発明の好ましい実施態様の他の一つにおいて、前記カフの自由縁部は、前記ベース部材の側縁部を１０ｍｍ以上越えることが可能である。
【００１２】
【００１３】
この発明の好ましい実施態様のさらに他の一つにおいて、前記カフが、前記ベース部材の縦方向へ弾性的に伸縮可能なシートで形成されている。
【００１４】
【発明の実施の形態】
添付の図面を参照して、この発明に係る生理用ナプキンの詳細を説明すると、以下のとおりである。
【００１５】
図１，２は、生理用ナプキン１の部分破断平面図と、図１のＩＩ−ＩＩ線断面を含むナプキン１の部分斜視図とであるが、図２のナプキン１は、ショーツ１５に取り付けられた状態で示されている。ナプキン１は、縦に長いベース部材５と、ベース部材５に取り付けられた一対のカフ１２とからなる。
【００１６】
ベース部材５は、透液性表面シート２と、不透液性裏面シート３と、これら両シート２，３間に介在する吸液性コア４とを有し、表裏面シート２，３は、コア４の周縁から延出する部分で重なり合って接合し、互いに向かい合って幅方向へ延びる一対の端縁部６と、互いに向かい合って縦方向へ延びる一対の側縁部７とを形成している。側縁部７の縦方向中央部からは、ウイング８が側方へ延出している。ベース部材５の縦方向と幅方向の中央部内面には、表面シート２をコア４へ向かって圧搾することにより条溝１１が形成されている。ベース部材５の両側縁部のそれぞれには、縦方向へ延びるカフ１２が取り付けられ、カフ１２には、縦方向へ延びる弾性部材１３が伸長状態で取り付けられている。
【００１７】
カフ１２は、２枚の縦に長いシート２１、好ましくは不透液性のシート２１、より好ましくはナプキン１の幅方向への弾性伸縮性を有する不透液性のシート２１がホットメルト接着剤（図示せず）を介して重なり合っているもので、ベース部材５の縦方向へ互いに並行して延びる固定縁部２２と自由縁部２３と、幅方向へ互いに並行して延びる固定端縁部２６，２６とを有し、固定縁部２２と自由縁部２３との間に位置する折曲線２４で自由縁部２３がナプキン１の外方へ向くように、二つに折り重ねられている。カフ１２は、固定縁部２２が、ベース部材５の側縁部７内面に、ホットメルト接着剤２８を介して接合し、各固定端縁部２６で重なり合うカフ１２どうしとベース部材５の端縁部６とが溶着部２７において互いに接合している。カフ１２を形成している２枚のシート２１の間では、弾性部材１３が縦方向へ延び、２枚のシート２１の少なくとも一方の内面にホットメルト接着剤（図示せず）を介して伸長状態で取り付けられている。ベース部材５の側縁部７では、裏面シート３が表面シート２を越えて側方へ延び、その延びている部分の上面にカフ１２の固定縁部２２が接着剤２８を介して接合している。固定縁部２２の上面と、固定縁部２２よりも外側に位置する裏面シート３の上面とは、メルトブローン不織布等の肌触りのよい疎水性不織布からなるカバーシート２９で覆われている。
【００１８】
図２に示されるように、生理用ショーツ１５に取り付けられたナプキン１は、裏面シート３の幅方向中央部に塗布された粘着剤１７を介してショーツ１５の股下域内面に剥離可能に止着し、かつ、ウイング８がショーツ１５の脚周り開口縁部に沿って折曲され、ウイング８の外面に塗布された粘着剤１８を介してショーツ１５の外面に剥離可能に止着している。ショーツ１５に取り付けられたナプキン１が長手方向へ湾曲すると、弾性部材１３が収縮して、カフ１２の自由縁部２３が、図２に示されるように、ベース部材５の側縁部７内面から立ち上がる。
【００１９】
ナプキン１は、条溝１１で囲まれた中央域３１が、図示のように、その周囲よりも高く隆起した状態にあり、膣口近傍によく密着する。
【００２０】
図３は、ナプキン１の幅方向断面の模式図であって、ショーツ１５に取り付けられて着用されたナプキン１が実線で、着用される途中のナプキン１が仮想線で示され、着用者の太股３６を含む股間部も仮想線で示されている。ショーツ１５が太股３６を通って上昇するときに、カフ１２の自由縁部２３が太股３６に触れて擦り合うと、二つに折曲されているカフ１２がナプキン１の幅を広げるように側方へ伸長して太股３６とショーツ１５の脚周り開口縁部との間隙３７を塞ぐ。カフ１２がこのように作用するから、ナプキン１を着用しようとしているときに間隙３７から流れ落ちる経血を未然に止めることができて、太股３６やショーツ１５等の着衣を経血で汚すことがない。
【００２１】
図４は、この発明の実施態様の一例を示す図２と同様の図面である。このナプキン１のカフ１２は、ナプキン１の幅方向へ弾性伸縮可能なシート２１、好ましくは弾性伸縮可能な不透液性シート２１で形成され、シート２１の固定縁部２２がベース部材５の比較的内方において部材５の内面に接着剤２８を介して接合し、自由縁部２３が固定縁部２２よりも外方、より好ましくはベース部材５の側縁部７の最外側近傍に位置している。かかるナプキン１では、これを着用するときに、カフ１２の自由縁部２３が太股３６を擦ることによってカフ１２がナプキン１の幅方向へ弾性的に伸長し、太股３６とショーツ１５の脚周り開口縁部との間隙３７を塞ぐことができる。
【００２２】
図５は、この発明の実施態様の一例を示す図４と同様の図面である。このナプキン１のカフ１２は、幅方向への弾性的な伸縮性を持つシート２１またはそのような伸縮性を持たないシート２１からなるもので、縦方向へ互いに平行に延びる多数のひだ３２を有する。カフ１２が太股３６を擦って、側方へ引張られると、ひだ３２が延びることによってカフ１２の幅が広がり、図１のカフ１２と同様に作用する。
【００２３】
この発明において、カフ１２は、自由縁部２３の縦方向の少なくとも一部分がナプキンベース部材５の側縁部７を越えてその外側へ１０ｍｍ以上伸長するものであることが好ましい。このような伸長を容易にするために、カフ１２は、少なくとも太股３６を擦る自由縁部２３近傍において、０．３以上のＪＩＳ−Ｐ８１４７に準拠した静摩擦係数２１を有していることが好ましい。カフ１２は、図１のそれのように弾性部材１３を使用することに代えて、縦方向への弾性伸縮性を有するシートを使用し、このシート２１を縦方向へ伸長した状態でベース部材５に取り付けることができる。ナプキン１がショーツ１５に取り付けられて縦方向へ湾曲すると、そのような伸長状態にあるカフ１２の自由縁部２３もまた収縮して、ナプキン１の側縁部７上方へ向かって立ち上がり、太股３６を擦るときに側方へ伸長し易くなる。ただし、この発明に係るナプキン１では、縦方向への弾性伸縮性を有するシート２１をその方向へ伸長することなく使用してカフ１２とすることもできる。カフ１２は、シート２１を２枚重ね合わせることなく、１枚のシート２１で作ることもできる。この発明は、ウイング８を有するナプキン１で実施することが好ましいが、ウイング８のないナプキン１で実施することもできる。また、図示例において、カフ１２の固定縁部２２を覆っているカバーシート２９を省いてこの発明を実施してもよい。
【００２４】
ナプキン１の各部材は、ホットメルト接着剤等の接着剤によって接合することができる他に、部材が熱可塑性合成樹脂からなるものであれば、熱溶着や超音波溶着によって接合することができる。
【００２５】
ナプキン１の表面シート２には、不織布や開孔プラスチックフィルム、裏面シート３にはプラスチックフィルムを使用することができ、コア４には粉砕パルプや粉砕パルプと高吸収性ポリマー粒子との混合物を使用することができる。カフ１２には、不織布やゴムシート、プラスチックエラストマー等からなるプラスチックフィルムを使用することができる。カフ１２の静摩擦係数を高めるために、カフ１２の表面にホットメルト接着剤等を塗布したり、摩擦係数の高いシート片を貼ったりすることができる。
【００２６】
【発明の効果】
この発明に係るナプキンのカフは、ナプキンの幅方向外方へ伸長可能であるから、ナプキンの幅を予め広くしておかなくても、着用ショーツの脚周り開口縁部や太股の経血による汚れを防止できる。かかるナプキンは、その外形を比較的小さくすることが可能であるから、個袋で包装したときに嵩張らず、持ち歩くときにも邪魔にならない。
【図面の簡単な説明】
【図１】  ナプキンの部分破断平面図。
【図２】  図１のＩＩ−ＩＩ線断面を含むナプキンの斜視図であって、ナプキンがショーツに取り付けられた状態にある。
【図３】  着用状態にあるナプキンの断面図。
【図４】  実施態様の一例を示す図２と同様の図面。
【図５】  実施態様の一例を示す図４と同様の図面。
【符号の説明】
１    ナプキン
２    表面シート
３    裏面シート
４    コア
６    端縁部
７    側縁部
１２    カフ
２２    固定縁部
２３    自由縁部
２４    折曲線
【図１】
0003830676.tif 000002
【図２】
0003830676.tif 000003
【図３】
0003830676.tif 000004
【図４】
0003830676.tif 000005
【図５】
0003830676.tif 000006